(57)【要約】      （修正有）【課題】走行時の姿勢を安定にして転倒し難くした走行おもちゃを提供する。【解決手段】重心位置調整部材である腕３及び装備品４と一対の足部材７をボディ２に前後方向に揺動自在に支持すると共に両脚を交互に前後へ強制揺動させるクランク機構を有するギアボックスをボディ２に内蔵し、かつ一対の足部材７の床面と接する面が強制揺動方向に湾曲した曲面に形成されて床面と一対の足部材７とが常時接触して一対の足部材７で走行可能な歩行おもちゃ１において、ギアボックスは捻りコイルばねを駆動源とし、且つ、クランク機構を回転させる出力軸に捻りコイルばねの回転を伝達するギア列の駆動ギアを回転させると共にボディ２の外に先端部分が突出するレバー２２を備え、レバー２２とギアボックスのフレームとの間に捻りコイルばねを配置し、レバーを回すことで捻りコイルばねを捻って巻き上げるようにしている。【選択図】図１
2015163190.tif 000002
【特許請求の範囲】
【請求項１】
重心位置調整部材と一対の脚をボディに前後方向に揺動自在に支持すると共に該一対の脚を交互に前後へ強制揺動させるクランク機構を有するギアボックスを前記ボディに内蔵し、かつ前記一対の脚の床面と接する面が前記強制揺動方向に湾曲した曲面に形成されて前記床面と前記一対の脚とが常時接触して前記一対の脚で走行可能な歩行おもちゃにおいて、前記ギアボックスは、捻りコイルばねを駆動源とし、且つ、前記クランク機構を回転させる出力軸に前記捻りコイルばねの回転を伝達するギア列の駆動ギアを回転させると共に前記ボディの外に先端部分が突出するレバーを備え、該レバーと前記ギアボックスのフレームとの間に前記捻りコイルばねを配置し、前記レバーを回すことで前記捻りコイルばねを捻って巻き上げることを特徴とする歩行おもちゃ。
【請求項２】
前記レバーが前記ギアボックスの左右方向の中央に上下方向に揺動可能に備えられ、前記ギアボックスが前記ボディの左右方向の中央に配置されるように前記ボディ内にセットされることを特徴とする請求項１記載の歩行おもちゃ。
【請求項３】
前記レバーはその回転中心に円盤部を有し、前記駆動ギアが前記円盤部の周面の一部に形成され、前記捻りコイルばねを収納する空間が前記レバー及び前記駆動ギアの内方に設けられ、前記捻りコイルばねの一端が前記レバーの先端側に延びる内部空間に収められると共に、前記捻りコイルばねの他端が前記内部空間の外において前記ギアボックスの前記フレームに当てられ、前記捻りコイルばねは前記回転中心と直交する垂直面に沿って捩られることを特徴とする請求項１または２記載の歩行おもちゃ。
【請求項４】
前記重心位置調整部材は、前記ボディに対し可動的に連結される腕とその先端に取り付けられる装備品とから構成され、前記腕の先端に前記装備品を着脱可能に把持させる把持部を備える請求項１から３のいずれか１つに記載の歩行おもちゃ。
【請求項５】
前記ギア列を構成するギアの１つを前記駆動ギア寄りの噛合相手のギアの周りを公転する駆け上がりギアとし、前記レバーを操作して前記捻りコイルばねを巻き上げるときに、前記駆け上がりギアを公転させて該駆け上がりギアの前記出力軸寄りの噛合相手のギアとの噛み合いを解除し、前記ギア列の回転が前記出力軸に伝達されないようにしたことを特徴とする請求項１から４のいずれか１つに記載の歩行おもちゃ。
【請求項６】
前記脚の前記床面と接する面が前記脚の揺動中心を通る鉛直軸上に曲率中心を有する曲面であり、前記脚の揺動中心を通る鉛直軸上の位置で前記床面と接し、前記ボディが直立することを特徴とする請求項１から５のいずれか１つに記載の記載の歩行おもちゃ。
【請求項７】
前記脚は、前記ギアボックスによって前後方向に揺動される脚部材と、該脚部材の下端に着脱可能に取り付けられ前記床面と接する面を有する足部材とから成り、前記足部材を交換可能としたことを特徴とする請求項１から６のいずれか１つに記載の歩行おもちゃ。
【請求項８】
請求項１から７のいずれか１つの記載の歩行おもちゃと、走行面から突出した軌道を有する軌道盤とを有し、前記軌道盤の前記軌道を跨ぐように前記歩行おもちゃの前記脚の間に前記軌道を配置して、前記軌道に沿って前記おもちゃを走行させることを特徴とする歩行おもちゃセット。
【請求項９】
前記軌道盤の前記軌道を複数本備え、各軌道を跨ぐように前記請求項１から７のいずれか１つの記載の複数の歩行おもちゃを配置し、前記複数の歩行おもちゃを同時に走行開始させて前記軌道に沿って前記おもちゃを競って走行させることを特徴とする歩行おもちゃセット。
【発明の詳細な説明】
【技術分野】
【０００１】
本発明は、ばねを動力源とする歩行おもちゃに関する。更に詳述すると、本発明は、足を床面から離さずに摺り足で任意の方向に歩かせたり、走らせたりする２足歩行を可能とする歩行おもちゃに関する。尚、本明細書において、歩行方向を前後方向とし、それと直交する水平方向を左右方向（幅方向）並びに鉛直方向を上下方向と呼ぶ。また、本明細書では、おもちゃを歩かせようとする面を総称して床面という。
【背景技術】
【０００２】
従来、両足を床面から離さずに摺るように交互に前後動させて足早に歩行可能とするおもちゃが提案されている（特許文献１）。このおもちゃは、ボディに対して同じ長さの２本の脚部材及び足部材を前後方向へ揺動自在に備える一方、それら一対の脚部材に設けられた上下方向の長孔にぜんまい駆動のギアボックスの出力軸の両端に１８０度位相させて備えられたクランク機構のクランクピンをそれぞれ係合させ、ギアボックスの出力軸の回転をクランク機構を介して脚部材・足部材の前後方向への揺動に変換させることにより、一対の脚部材・足部材を交互に前後動させるようにしたものである。この歩行おもちゃには、重心位置を調整する重心位置調整部材として機能するボールを持った片腕がボディの一側に肩を中心に回転自在に備えられ、ボールを持った片腕を前後左右並びに上下方向に回動させることにより傾いた方向（重心移動方向）に進むようにしている。
【先行技術文献】
【特許文献】
【０００３】
【特許文献１】特開平８−８３５号公報
【発明の概要】
【発明が解決しようとする課題】
【０００４】
しかしながら、特許文献１記載の発明にかかる歩行おもちゃは、ギアボックスのぜんまいを巻き上げるための手巻きノブがボディの側方に突出するため、その分だけおもちゃの重心が左右方向の一方に偏るという本質的な問題を有している。しかも、手巻きノブは、おもちゃの大きさに拘わらず、指先で摘みながら回すためにある程度の大きさが必要となることから、おもちゃの大きさが小さくなるほど左右方向での重心の偏りに与える影響が大きくなり、歩行時のおもちゃの姿勢を不安定にして転倒を誘発することとなる。
【０００５】
また、同時に、おもちゃの重心位置を調整する重心位置調整部材をボディの他方の側方にしか備えられないことから、重心の移動範囲がおもちゃの片側に制限され、おもちゃの動きの変化に乏しいという問題を伴う。
【０００６】
さらに、手巻きノブを指先で摘みながら回す操作は、片手ではできない。おもちゃを床面に置いて巻き上げる場合には、おもちゃを押さえた状態で手巻きノブを指先で摘みながら回さなければならないが、このような操作は、幼児にとってはたやすい操作とはいえない。また、おもちゃを手にもって手巻きノブを巻き上げる場合にも、おもちゃを床面に降ろして手を離す際に、立ち姿勢のバランスを崩し易く、歩行開始直後に転倒し易い。いずれにしても、手巻きノブを指先で摘みながら回す操作は、この種の玩具を好む幼児にとっては難しい作業であり、また転倒を頻繁に繰り返すと、そのおもちゃを使った遊びへの興味を急速に失ってしまうことの一要因ともなる。このため、幼児にとって遊び易いものとすることが望まれている。
【０００７】
また、ぜんまいを駆動源とするギアボックスは、径方向に拡がるぜんまいを収容する空間を必要とするため、ギアボックスが大型化するし、指先で摘みながら回す手巻きノブの大きさはある程度の大きさが必要となる。そこで、ギアボックスの小型化に限界が有り、引いてはそれを内蔵するおもちゃのボディの小型化・おもちゃの小型化が難しいものとなる。
【０００８】
また、特許文献１記載の発明にかかる歩行おもちゃは、おもちゃの重心位置を調整する重心位置調整部材が取り外しのできないもの、即ち重心位置を変更可能とするだけのものであるため、おもちゃの遊び方はその動きの変化を楽しむだけのものであって、おもちゃに具現されたキャラクターの変化例えばキャラクターの成長や機能のアップグレードなどのストーリー性を与えたり、尚且つキャラクターの成長や機能のアップグレードに伴った動きの質に変化を与えることなどができないものである。
【０００９】
さらに、歩行おもちゃとしての遊び方も、床面などで単に前後方向に直進させたり、曲がりながら前進あるいは後退させたり、あるいはその場で旋回あるいはい足踏みするといったものに限られる。他者の歩行おもちゃと競争するという対戦形式の遊びの要素に欠けるものである。
【００１０】
本発明は、歩行時のおもちゃの姿勢を安定にして転倒し難い歩行おもちゃを提供することを目的とする。また、本発明は、ばねの巻き上げ操作が片手で容易にでき、幼児にとっても遊び易い歩行おもちゃを提供することを目的とする。さらに、本発明は、おもちゃの動きの変化が豊かであり、対戦形式の遊びの要素を有する歩行おもちゃを提供することを目的とする。さらに、本発明は、小型化を可能とする歩行おもちゃを提供することを目的とする。また、本発明は、おもちゃに具現されたキャラクターの成長や機能のアップグレードなどのストーリー性を与えることができ、尚且つキャラクターの成長や機能のアップグレードに伴った動きの質に変化を与えることができる歩行おもちゃを提供することを目的とする。
【課題を解決するための手段】
【００１１】
かかる目的を達成するために請求項１記載の発明は、重心位置調整部材と一対の脚をボディに前後方向に揺動自在に支持すると共に該一対の脚を交互に前後へ強制揺動させるクランク機構を有するギアボックスをボディに内蔵し、かつ一対の脚の床面と接する面が強制揺動方向に湾曲した曲面に形成されて床面と一対の脚とが常時接触して一対の脚で走行可能な歩行おもちゃにおいて、ギアボックスは、捻りコイルばねを駆動源とし、且つ、クランク機構を回転させる出力軸に捻りコイルばねの回転を伝達するギア列の駆動ギアを回転させると共にボディの外に先端部分が突出するレバーを備え、該レバーとギアボックスのフレームとの間に捻りコイルばねを配置し、レバーを回すことで捻りコイルばねを捻って巻き上げるようにしている。
【００１２】
また、請求項２記載の発明にかかる歩行おもちゃは、レバーがギアボックスの左右方向の中央に上下方向に揺動可能に備えられ、ギアボックスがボディの左右方向の中央に配置されるようにボディ内にセットされることが好ましい。
【００１３】
さらに、請求項３記載の発明にかかる歩行おもちゃにおいて、レバーはその回転中心に円盤部を有し、駆動ギアが円盤部の周面の一部に形成され、捻りコイルばねを収納する空間がレバー及び駆動ギアの内方に設けられ、捻りコイルばねの一端がレバーの先端側に延びる内部空間に収められると共に、捻りコイルばねの他端が内部空間の外においてギアボックスのフレームに当てられ、捻りコイルばねはボディの左右方向の中央において回転中心と直交する垂直面に沿って捩られることが好ましい。
【００１４】
請求項４記載の発明にかかる歩行おもちゃにおいて、重心位置調整部材は、ボディに対し可動的に連結される腕とその先端に取り付けられる装備品とから構成され、腕の先端に装備品を着脱可能に把持させる把持部を備えるものであることが好ましい。
【００１５】
請求項５記載の発明にかかる歩行おもちゃにおいて、ギア列を構成するギアの１つを駆動ギア寄りの噛合相手のギアの周りを公転する駆け上がりギアとし、レバーを操作して捻りコイルばねを巻き上げるときに、駆け上がりギアを公転させて該駆け上がりギアの出力軸寄りの噛合相手のギアとの噛み合いを解除し、ギア列の回転が出力軸に伝達されないようにすることが好ましい。
【００１６】
請求項７記載の発明にかかる歩行おもちゃにおいて、脚は、ギアボックスによって前後方向に揺動される脚部材と、該脚部材の下端に着脱可能に取り付けられる足部材とから成り、足部材を交換可能とすることが好ましい。
【００１７】
請求項６記載の発明にかかる歩行おもちゃにおいて、脚の床面と接する面が脚の揺動中心を通る鉛直軸上に曲率中心を有する曲面であり、脚の揺動中心を通る鉛直軸上の位置で床面と接し、ボディが直立するものであることが好ましい。
【００１８】
請求項８記載の発明にかかる歩行おもちゃセットは、請求項１から７のいずれか１つの記載の歩行おもちゃと、走行面から突出した軌道を有する軌道盤とを有し、軌道盤の軌道を跨ぐように歩行おもちゃの脚の間に軌道を配置して、軌道に沿っておもちゃを走行させるようにしている。
【００１９】
請求項９記載の発明にかかる歩行おもちゃセットは、軌道盤の軌道を複数本備え、各軌道を跨ぐように請求項１から７のいずれか１つの記載の複数の歩行おもちゃを配置し、複数の歩行おもちゃを同時に走行開始させて軌道に沿っておもちゃを競って走行させることが好ましい。
【発明の効果】
【００２０】
請求項１記載の歩行おもちゃによれば、捻りコイルばねを駆動源とするギアボックスを備え、ギアボックスの駆動ギアを回転させるレバーの先端部分をボディの外に突出させ、該レバーを回すことで捻りコイルばねを捻って巻き上げる構成にしているので、歩行おもちゃの左右方向の重心の偏りを少なくして、歩行時のバランスを安定させて転倒し難くできる。しかも、歩行おもちゃの左右方向の中心からの重心位置の偏りが少ないので、重心位置調整部材による重心移動の影響が大きくなり、おもちゃの動きに大きな変化を与え得る。依って、重心位置調整部材が比較的軽量であっても、おもちゃの動きに様々な変化を与えうるので、おもちゃ全体をコンパクトにしても変化に富む動きを与えることができる。
【００２１】
また、レバーを一押しするだけ、即ち所定角だけ回すだけで捻りコイルばねの巻き上げが完了するので、手巻きノブを何度となく巻き上げるよりも、巻き上げが早い。
【００２２】
また、径方向に拡がるぜんまいを収容可能とする空間や、指先で摘みながら回すことができる程度の大きさの手巻きノブを必要としないので、駆動源となるギアボックスの小型化が可能であり、ひいてはそれを内蔵するおもちゃのボディの小型化も可能となる。また、ねじりコイルばねでコストが下がる。
【００２３】
また、請求項２記載の発明にかかる歩行おもちゃによれば、捻りコイルばねを駆動源とするギアボックスの巻き上げ操作手段としてのレバーをギアボックスの左右方向の中心に上下方向に揺動可能に配置すると共にギアボックスをボディの左右方向の中心に配置しているので、歩行おもちゃの左右方向における重心の位置がさらに中心に置かれ、歩行時のおもちゃの転倒を誘発する要因の一つである、左右方向の重心位置の偏りを少なくして、歩行時のバランスを安定させて転倒し難くできる。しかも、歩行おもちゃの左右方向の重心位置がさらに中心に配置されるので、重心位置調整部材による重心移動の影響が大きくなり、おもちゃの動きに大きな変化を与え得る。依って、重心位置調整部材が比較的軽量であっても、おもちゃの動きに様々な変化を与えうるので、おもちゃ全体をコンパクトにしても変化に富む動きを与えることができる。
【００２４】
さらに、請求項３記載の発明にかかる歩行おもちゃによれば、レバーと駆動ギアとが一体成形されると共にその内方に捻りコイルばねが収納されるので、レバー，駆動ギア及び捻りコイルばねがほぼ同一平面上に配置されてギアボックスの薄形化が可能である。
【００２５】
さらに、請求項４記載の発明にかかる歩行おもちゃによれば、ボディに対し可動的に連結された腕とその先端に取り付けられる装備品とで重心位置調整部材が構成され、装備品を着脱可能に把持部で把持させるようにしているので、様々な装備品を取り付けることができる。ここで、装備品は、重心を調整するためのものであると共に、おもちゃのキャラクターにストーリー性を与えるための小道具としての役目も果たす。したがって、おもちゃに具現されたキャラクターの成長や機能のアップグレードなどを暗示ないし示唆する装備品を取り付けることにより、ストーリー性を与えることができる。しかも、装備品の取り替えにより、キャラクターの成長や機能のアップグレードに伴った動きの質に変化を与えることができる。例えば、重い装備品の場合には、おもちゃが前傾姿勢となり歩行速度が速いものとなるがその反面転び易くなり、他方、軽い装備品の場合には、歩行速度は遅くなるが安定走行となる。このため、装備品の選択によっておもちゃの歩行や走りの質を代えることができる。
【００２６】
また、請求項５記載の発明にかかる歩行おもちゃによれば、レバーを押し下げて捻りコイルばねを巻き上げる際に、ギアボックスのギア列を構成するギアの１つがギア列から離脱し、ギア列の回転が出力軸に伝達されないようにしているので、脚がばたつくことが無く、おもちゃを床面に置いたまま片手でレバーを押し下げる操作ができる。つまり、おもちゃを床面に置いたまま、レバーを押し下げるだけの操作は、幼児にとっても可能な単純な動きであるから、幼児にも遊べるおもちゃとなる。また、おもちゃを一旦手にもって、ばねを巻いてから床面に降ろすという作業が不要となるので、おもちゃから手を離す際に、おもちゃの姿勢のバランスを崩すことがない。しかも、もともと重心が左右方向の中心にあり重心の偏りが少ないことから、歩行時のおもちゃの姿勢のバランスを崩し難く、歩行開始直後に転倒するということが少なく、遊び易いおもちゃを実現できる。
【００２７】
また、請求項７記載の発明にかかる歩行おもちゃによれば、足部材の床面と接する面の曲率中心を通る鉛直軸よりも重心の位置がずれたときに、そのずれた方向へ容易に移動する。換言すれば、装備品の有無、大きさや形状の異なる装備品との交換、さらには腕を回して装備品の位置を変えることによって、おもちゃの歩行方向を自由に設定することができる。
【００２８】
また、請求項６記載の発明にかかる歩行おもちゃによれば、足部材を取り替えることができるので、簡単におもちゃの動きに変化を与えることができる。例えば、足部材を取り替えることで、足裏の曲面形状を変えることにより、その場で足踏みするおもちゃ、前にだけ進むおもちゃ、後ろだけに進むおもちゃ、速いおもちゃ、遅いおもちゃなど、おもちゃ本体を変えずに動きの特性を変更することができる。
【００２９】
また、本発明にかかる歩行おもちゃは、重心位置調整部材の位置調整や、選択する装備品の違い、例えば重さや形状の異なる装備品との組み合わせの違いで、動き・走りや安定性に違いが生ずる。したがって、この歩行おもちゃをレールを備える軌道盤と組み合わせて遊ぶことにより、同じ走行条件での他の歩行おもちゃとの歩行速さを競争させることができる。また、軌道に沿って歩行おもちゃを歩行させることができるので、既設のあるいは任意に変形させた軌道に沿って単に歩ませたり走らせたりするだけでなく、歩行おもちゃ同士を向い合って戦わせたり、あるいは追いかけさせたりするなどの対戦形式での遊びを楽しむことができる。
【図面の簡単な説明】
【００３０】
【図１】本発明にかかる歩行おもちゃの一実施形態を示す斜視図である。
【図２】図１の歩行おもちゃの分解斜視図である。
【図３】本発明にかかる歩行おもちゃのギアボックスの外観を示す斜視図である。
【図４】図３のギアボックスの一方のフレームを除いてレバーとギア列との関係を示す側面図である。
【図５】図３のギアボックスのギア列を各ギアの軸を通る線に沿って断面した断面図である。
【図６】図３のギアボックスの分解斜視図である。
【図７】本発明にかかる歩行おもちゃと軌道盤との関係を示す斜視図である。
【図８】脚部材及び足部材の一実施形態を示す図で、（Ａ）は側面図、（Ｂ）は斜視図である。
【図９】脚部材及び足部材の他の実施形態を示す図で、（Ａ）は側面図、（Ｂ）は斜視図である。
【図１０】本発明にかかる歩行おもちゃの腕、装備品、足部材などの組み合わせの一例を示す概念図である。
【図１１】歩行おもちゃの遊び方の一例（Ａ）〜（Ｄ）を示す斜視図である。
【図１２】同歩行おもちゃにおいて、図８（Ａ）及び（Ｂ）に示す脚を備え、後傾姿勢を採る場合の側面図である。
【図１３】同歩行おもちゃにおいて、図８（Ａ）及び（Ｂ）に示す脚部材に対する足部材の取り付け向きを図１２の例とは前後逆にして取り付けることにより、前傾姿勢を採る場合の側面図である。
【発明を実施するための形態】
【００３１】
以下、本発明の構成を図面に示す実施形態に基づいて詳細に説明する。
【００３２】
図１〜図６に本発明の歩行おもちゃの一実施形態を示す。この歩行おもちゃ１は、捻りコイルばね２５を動力源とするギアボックス８と、該ギアボックス８によって交互に前後動する一対の脚部材６及び足部材７と、ギアボックス８及び脚部材６を内蔵するボディ２と、このボディ２に対する位置関係を調整可能とすることによっておもちゃの重心位置を調整する重心位置調整部材としての腕３及び装備品４とから主に構成されている。
【００３３】
ボディ２は、歩行おもちゃの本体となる部分であり、例えばプラスチックの射出成形品によって形成され、任意のキャラクターや動物などの顔、胴などが象られたりあるいは印刷されている。このボディ２は、例えば前後方向に分割される２つのピース２ａ，２ｂから構成され、２つのピース２ａ，２ｂの間にギアボックス８と両脚部材６並びに腕３を可動的に支持するための軸受け部材９が収容されて嵌め合わされ、締め付けビス２０で一体化されている。
【００３４】
また、ボディ２の背面即ち後側には、ギアボックス８のレバー２２が突き出ると共に上下方向に動くことを可能にするための縦長の長溝４４が形成されている。ここで、レバー２２はボディ２の中央に配置されることが重心の左右方向への偏りを無くして中心に配置する上で好ましいが、必ずしも厳密な意味で中央に配置しなくとも良く、場合によっては中央から外れるように備えても良い。また、各ピース２ａ，２ｂの内部には、ギアボックス８を収容しボディ２のほぼ中心に保持するための凹部４６がそれぞれ備えられる。凹部４６は、ギアボックス８を挟むようにピース２ａ，２ｂを組み合わせることによってギアボックス８をボディ２の中心に固定するように設けられている。また、両脚部材６が揺動するため、ボディ２の底面即ち下側には前後方向に長い溝４５が形成されている。
【００３５】
ボディ２の内部にはギアボックス８がセットされている。ここで、ギアボックス８はボディ２の中央に配置されることが重心の左右方向への偏りを無くして中心に配置する上で好ましいが、必ずしも厳密な意味で中央に配置しなくとも良く、場合によっては中央から外れるように備えても良い。また、ギアボックス８は入力軸並びに出力軸を水平に保持するように立ててボディ２に収容されることが機構上並びに重心を中心に配置する上で好ましいが、これに特にかぎられるものではなく、場合によっては横置きにして鉛直方向に入力軸並びに出力軸を配置してもよい。ギアユニットを横置きにする場合には、レバー２２を水平にボディ２を横切るように揺動させると共に、クランク機構に鉛直軸周りの円板１７の回転を水平軸周りの揺動に変換するレバー機構を介在させる必要がある。尚、レバー２２及び又はギアボックス８がボディ２の中心からオフセットして配置される場合には、その他の部品などの重量を調整したり、バランサーなどを設けることによって、重心がほぼ中心にあるように設けることが好ましい。
【００３６】
このギアボックス８は、捻りコイルばね２５の一端２５ａを引っ掛けたレバー２２と、両端にクランク機構を備える出力軸３５と、これらの間に配置されて回転を伝達する変速ギア列あるいは必要に応じて設けられる定速機構と、これらを収容する筐体としてのフレーム３６とから構成されている。変速ギア列は、本実施形態の場合、レバー２５に形成されるギア２３を１番ギア（駆動ギア）として、２番ギア２７、３番ギア２８、４番ギア３２及び出力軸３５に備えられた５番ギア３４とから成る。また、本実施形態のギアボックス８は、３番ギア２８の軸２９を長孔３０，３１で支持することによって、３番ギア２８を２番ギア２７の周りに長孔３０，３１の範囲で公転可能としている。したがって、レバー２２が押し下げられて捻りコイルばね２５が捩られる際には、２番ギア２７の回転によって３番ギア２８が２番ギアの回転方向に釣られて長孔３０，３１内を移動し、４番ギア３２から切り離される。これにより、レバー２２を押し下げる際の回転運動は、３番ギア２８で途絶え、４番ギア３２及び５番ギア３４には伝達されないので、出力軸３５ひいては脚部材６が動くことがない。つまり、レバー２２を押し下げて捻りコイルばね２５を巻き上げようとする際に、脚部材６が動くことがないので、おもちゃ１を床面においたままレバー２２の押し下げ操作ができる。尚、２番ギア２７はレバー２２に形成された駆動ギア２３と噛合する小歯車２７ａと同軸上に配置された大歯車２７ｂと軸２６とから成る。また、３番ギア２８は２番ギア２７の大歯車２７ｂと噛合する小歯車２８ａと同軸上に配置された大歯車２８ｂと軸２９とから成る。また、４番ギア３２は３番ギア２８の大歯車２８ｂと噛合する小歯車３２ａと同軸上に配置された大歯車３２ｂと軸３３とから成る。
【００３７】
レバー２２は、図４〜図６に示すように、その回転中心に周面の一部に駆動ギア２３を形成した円盤部４３を有し、該円盤部４３の内方に捻りコイルばね２５を収納する空間２４が設けられている。レバー２２は、円盤部４３の中心を貫通する軸３９によって左右のフレーム３６ａ，３６ｂ間に回転自在に支持されている。捻りコイルばね２５は、円盤部４３の内部空間２４に収容され、同空間２４を貫通する軸３９の周りに配置されると共に、その一端２５ｂがレバー２２の先端側に延びる内部空間２４に収められてレバー２２と当接し、他端２５ａが内部空間２４の外のフレーム３６に設けられている開口４１から突出されて開口４１を区画するフレーム３６の縁４２に当てられるように設けられている。これにより、レバー２２を押し下げる際に、レバー２２とフレーム３６との間で捻りコイルばね２５に捻りが与えられるように設けられている。フレーム３６は２つのフレーム３６ａ，３６ｂを合わせて成り、中央で左右に分割されるように設けられている。レバー２２は、左右のフレーム３６ａ，３６ｂの合わせ面に沿ってフレーム３６の後方側の中央部に形成される縦長の開口３７の上下方向の範囲内で揺動可能に支持される。そして、レバー２２の円盤部４３には、当該レバー２２の揺動範囲よりも僅かに広い角度で駆動ギア２３が形成されている。
【００３８】
ここで、捻りコイルばね２５は、ボディ２の中央にセットされるギアボックス８に、二つの端部２５ａ，２５ｂがどちらも垂直面に沿って揺動して変形しながら反力を発揮するように設けられている。そして、捻りコイルばね２５は、ボディ２の左右封コ得における中央位置において、垂直面に沿って変形する。即ち、捻りコイルばね２５が変形する際に生ずるモーメントの作用面が歩行おもちゃ１のボディ２の左右方向における中央に位置し、且つ、作用面の方向が歩行おもちゃ１の前後方向に沿う。このため、捻りコイルばね２５の変形によって歩行おもちゃ１に左右方向の力が与えられることがない。したがって、捻りコイルばね２５が変形しながら歩行おもちゃ１が歩行するときに当該歩行おもちゃ１を左右方向に揺れ動かすような力が働くことがないので、歩行おもちゃ１の歩行が安定する。
【００３９】
ギアボックス８の出力軸３５の両端にはクランク機構が設けられている。クランク機構は、クランクアームに相当する円板１７と該円板１７の回転中心から偏心して備えられるクランクピン１８とで構成される。クランク機構は、ギアボックス８の外に突出した出力軸３５の両端に円板１７が嵌合されて、ギアボックス８のフレーム３６の外側に形成された凹部４０に収められている。ギアボックス８の左右に配置される円板１７の各クランクピン１８は、互いに取り付け角度が１８０°ずらして配置され、ギアボックス８に沿って配置されている両脚部材６の縦長孔１６と係合するように設けられている。したがって、左右の脚部材６は出力軸３５の回転に伴って互いに逆方向に、即ち交互に前後方向へ強制的に揺動される。
【００４０】
ギアボックス８の外側には、左右方向に突出するピン１９によって一対の脚部材６がそれぞれ揺動自在に取り付けられている。ピン１９が脚部材６の上部の孔１４に嵌入されることで、脚部材６は前後方向に揺動自在に吊り下げられるように支持される。脚部材６のレバー２２の軸３９と干渉する部分には、前後方向に横長な円弧状の長孔１５が設けられ、長孔１５に軸３９及び軸受け部が通過することによって、脚部材６と軸３９とが干渉しないようら設けられている。また、脚部材６のクランクピン１８と交差する部分には縦の長孔１６が形成され、この長孔１６部分にクランクピン１８が嵌め込まれて前後方向に係合するように設けられている。したがって、円板１７が回転すると、クランクピン１８が脚部材６の長孔１６内を長手方向に移動しつつ脚部材６を前後方向へ駆動させる。
【００４１】
両脚部材６の下端には、足部材７がそれぞれ備えられている。脚部材６と足部材７とは一体的に成形されても良いが、本実施形態では独立した脚部材６と足部材７とが組み付けられて一体化されるように設けられている。例えば、図２に示すように、脚部材６の下端に二股状の連結部１３が形成され、該連結部１３を足部材７に設けられている溝１２に挿入してから、溝１２内に設けられている溝１２を横切る軸（図示省略）を挟持するようにして揺動かつ着脱可能に連結されている。これによって、足部材７だけの取り替えが容易に行うことができる。
【００４２】
足部材７は、床面５２と接する面（以下、足の裏という）が少なくとも揺動方向・前後方向に緩やかに湾曲した曲面に形成されており、床面５２と両足部材７とが常時接触しかつ両脚部材６・足部材７で直立可能に設けられている。例えば図８に示すように、脚の揺動中心（孔１４の中心）を通る鉛直軸４７上に曲率中心を有する曲面、即ち鉛直軸４７を中心としてその前方側と後方側とで対称となる曲面の足裏を有する足部材７であっても良い。また、足裏の曲面は、軸１９（あるいは孔１４）部分を通過する鉛直軸４７を基準に前後方向に対称な形状としているが、場合によっては脚の揺動中心を通る鉛直軸４７を中心としたときにその前方側と後方側とで非対称となる曲面形状としても良い。例えば、図９に示すように、直立状態にある脚の揺動中心（孔１４の中心）を通る鉛直軸４７よりも進行方向前方に床面５２と接する位置４８を設定してその位置４８を通過する鉛直軸４９上に曲率中心を有する曲面、即ちおもちゃ１を直立させたときに脚の揺動中心を通る鉛直軸４７よりも前の位置（鉛直軸４９上）４８で足裏の面と床面とが接し、それよりも後方では床面に対して漸次足裏が離れて床面から浮き上がる曲面の足裏を有する足部材７でも良い。この場合には、ボディ全体の重心がおもちゃを直立させたときの足裏の面と床面とが接する位置４８よりも後方となるので、図１２に示すように必然的にボディ２が後傾するものとなる。他方、図１３に示すように、直立させた脚の揺動中心１４を通る鉛直軸４７よりも前方に足裏の面と床面５２とが接する位置４８が設定される足部材の場合には、おもちゃを直立させたときの足裏の面と床面とが接する位置４８よりもボディ全体の重心が前方となるので、必然的にボディ２が前傾するものとなる。即ち、脚の床面と接する面が脚の揺動中心を通る鉛直軸に対し前後方向の前方あるいは後方にオフセットした位置を通る鉛直軸上に曲率中心を有する曲面でかつ揺動中心を通る鉛直軸を中心に前後方向に非対称な曲面とし、脚の揺動中心を通る鉛直軸上の位置で床面と接するようにすれば、ボディが傾斜する。尚、足裏の曲面は１つの曲率中心を有する曲面であることに限られず、場合によっては２以上の曲率中心を有する曲面で構成されても良い。この場合には、直立状態にある脚の揺動中心たる孔１４部分を通る鉛直軸４７に対して偏心した位置４８を通る鉛直軸４９を中心としたときにその前方側と後方側とで非対称となる曲面形状を成す。
【００４３】
重心位置調整部材は、ボディ２の両側に左右対称に配置されている。例えば、本実施形態の場合、腕３と該腕３に装着可能な装備品４とで構成される重心位置調整部材がボディ２の両側に左右対称に配置されている。腕３とボディ２とは球面継手を用いて回転かつ傾斜可能に連結されている。例えば、腕３に球状の軸部１０が設けられ、ボディ２側には球面状の凹部１１を有する軸受け９が備えられ、球面摺り合わせによって軸１０ひいては腕３が傾いたり、回転したりできるように連結されている。軸受け９は前後方向に突出する鍔部を有する矩形のブロックから成り、前後に分割されるボディピース２ａ，２ｂの分割面に沿って設けられた溝付き凹部２１に嵌め込まれ、ボディピース２ａ，２ｂがビス２０で連結されたときに軸受け９の縁部と凹部２１の溝部分とが嵌合してボディ２の左右方向に離脱しないように固定される。尚、腕３は、球面軸受けによって回動自在にボディ２に連結される場合に限られず、一軸あるいは直交する二軸の関節を備えることで前後左右並びにこれらを組み合わせた動きを得られるようにしても良い。また、腕３そのものを任意に塑性変形する素材、例えば塩化ビニールや形状記憶合金あるいは形状記憶樹脂などで形成して腕３そのものを変形させることによって前後あるいは側方へ重心を移動させるようにしても良い。この場合には、腕３とボディ２との間に関節構造を設ける必要はない。
【００４４】
腕３の先端には、腕３と協働して重心位置調整部材として機能する装備品４を着脱可能に取り付けるための把持部５を有する。この把持部５は、特定の形状並びに構造に限られるものではない。本実施形態の場合、装備品４の腕３に取付けられようとする部位（被取付け部位と呼ぶ）４ａが棒状に形成されているので、例えばＣ形の半筒形状を成し、装備品４の被取付け部位４ａを軸方向に嵌め込む込むことによって、着脱可能に支持するようにしている。ここで、装備品４は、重心を調整するためのものであると共に、おもちゃのキャラクターにストーリー性を与えるための小道具としての役目も有する。例えば、戦闘員をキャラクターとしたおもちゃの場合、右把持部５には剣や槍などを持たせる一方、左把持部５には様々な形状の盾などを持たせる。勿論、このようなキャラクターや装備品に特に限られるものではなく、把持部５に着脱可能な被取付け部位４ａを備えれば、おもちゃのキャラクターに応じて様々な構造、形状、様式の装備品を取り付けることができる。尚、本実施形態では、重心位置調整部材としての腕３と装備品４とは脱着可能な構造として装備品４を取り替え可能としているが、場合によっては腕３と装備品４とを一体的に形成して腕３そのものをボディ２に対し脱着自在に取り付けるようにしても良い。
【００４５】
以上のように構成された歩行おもちゃによれば、装備品４の有無、大きさや形状の異なる装備品４との交換、さらには腕３を回して装備品４の位置を変えることによって、おもちゃの歩行方向を自由に設定することができる。
【００４６】
例えば、図８に示すような直立し易い足部材７を有する歩行おもちゃ１、即ち揺動中心である孔１４と長孔１６とを通る軸（鉛直軸）４７上に曲率中心を有する前後方向に対称な曲面から成る足裏を有する足部材７を備えた歩行おもちゃ１によれば、両腕３に装備品４を持たせないで下にのばした気をつけ（直立不動）の姿勢をとったときにはその場で足踏み運動をし（ケース１）、装備品４を持たせた両腕３を前にして装備品４を浮かせた状態に保持するときには前進した（ケース２）。ケース２における前進は、途中で方向を変えて動くような動きになる。また、装備品４を持たせた両腕３を後ろにして装備品４を浮かせた状態に保持するときには後進し（ケース３）、装備品４を持たせた両腕３を真上に挙げたときにはその場でクルクルと小さく旋回した（ケース４）。また、前にした両腕３に持たせた装備品４を床に接するようにしてボディ２を後ろに傾けたときには装備品４は前にあるが後ろに動き（ケース５）、片方の把持部５に持たせた大きな装備品４を把持部５の直近で床に接するようにしたときには小旋回し（ケース６）、片手に持たせた大きな装備品４を把持部５から離れた先の方で床に接するようにしたときには大旋回した（ケース７）。ケース６のように装備品４が床に接している点がボディから近いと、装備品４が床に接している点を中心に回転し、ケース７のように離れて遠いと回り込めずに大きく回転するものと思われる。さらに、片方の把持部５に持たせた装備品４を床に接するようしてボディーを後ろに傾けたときには、装備品４は前に有るが後に大旋回し（ケース８）、大きな装備品４を前にした両把持部５に持たせて床に接するようにしたときには前進した（ケース９）。ケース９の場合の前進の仕方はケース２の場合と異なり、途中で方向を変えるような動きはしなかった。つまり、揺動中心を通る鉛直軸を中心に前後方向に対称な曲面の足裏を有する足部材７を備えた歩行おもちゃ１によれば、装備品４を取り付けない状態では、腕３の位置で動く方向が決まり、装備品４を取り付けた場合には、装備品４の位置で動く方向が決まる。換言すれば、ボディ２が傾いた方向に動く。また、装備品４を床につけてボディ２を装備品４の位置とは反対側に傾けると、装備品４の大きさ・重さに関係なく、ボディ２の傾いた方向に動く。
【００４７】
また、足部材７を取り替えることでもおもちゃ１の動きに変化をもたらすことができる。例えば、図９に示すようなボディ２が後傾し易い足部材７を有する歩行おもちゃ１、即ち直立姿勢において揺動中心である孔１４と長孔１６とを通る軸（直立時の鉛直軸）４７よりも進行方向前方側に床面に接する位置４８とそれを通る鉛直軸４９上に曲率中心が存在する湾曲面の足裏からなる足部材７を備えた歩行おもちゃ１によれば、腕３の位置に関係なくボディ２の傾斜方向とは逆方向に進む。即ち、前進する。これは、脚部材６の揺動中心たる孔１４の中心を通る鉛直軸線上で足部材７の底と床面との間に隙間が生じており、その隙間が後端側に向かう程漸次大きくなるものであるため、必然的にボディ２が後傾してしまい、足部材７の後側で床面に接する状態で立つため、足を前を踏み出すような状態となるからと考えられる。腕３を後方に向けて突き出させることにより進行方向後ろ側へ重心を移動させても、前へ向けて進むという、図８に示すような足部材７を用いた歩行人形とは異なる現象を起こす（ケース１０）。通常、歩行おもちゃの動きは、重心の位置によって進行方向が決まるが、おもちゃ１のボディ２そのものは後傾しながらも前方へ走るという、奇妙な走行姿勢であるため、今までになく面白いおもちゃの動きが得られる。しかも、このときには、おもちゃの走りの直進性が図１のおもちゃよりも高まり、かつ走行距離も長くなるという、予測もしなかった実験結果が得られた。本発明者等によって、図８に示す前後方向に対称な曲面から成る足裏の足部材７を備えた２体のおもちゃ（片方の把持部５に持たせた大きな装備品４を把持部５から離れた先の方で床に接するようにしたおもちゃ（ケースＡ）と、片方の把持部５に持たせた大きな装備品４を把持部５の直近で床に接するようにしたおもちゃ（ケースＢ））と、図９に示す後傾し易い足部材７を備える１体のおもちゃ（具体的には図１２に示すようにボディ２を後傾させたおもちゃの装備品４を持たせた両腕３を後ろに配置し尚且つ装備品４を浮かせた状態に保持する姿勢のおもちゃ。ケースＣ）とを、図１１（Ａ）に示す軌道盤上で同時に歩行させた場合、最も早く端まで到達したのはケースＣのおもちゃであり、次にケースＢのおもちゃが到達し、そして最後にケースＡのおもちゃが端近くまで到達したものの完走することはできなかった。勿論、足部材７は上述のものに特に限定されるものではなく、足裏の曲面形状を変えることにより、その場で足踏みしたり、前に進んだり、後ろに進んだり、速く進んだり、遅く進んだりといった、様々な動きを実現させることができる。
【００４８】
いずれにしても、ボディ２を中心に両腕３を左右対称に配置しているので、弥次郎兵衛のようにおもちゃ１の左右方向の釣合いがとれて歩行時に倒れ難くなる。また、装備品４を含めない状態においては、両腕３やボディ２などを含めたおもちゃ全体の重心位置は、おもちゃ１の左右方向においてはその中心にあるので、重心位置調整部材による重心位置の変更に与える影響が大きくなり、両腕３の位置を互いにずらすことによって、あるいは装備品４の有無やその大きさなどを変更することによって、重心の位置のずれを微妙にあるいは大胆に調整でき、動きの変化を細かにあるいは大胆に調整することができる。例えば、両腕３および装備品４を揃って前ないし後へ突き出せば、移動速度がスピードアップし、互いに逆方向に突き出せばより小さく早く旋回する。
【００４９】
さらに、装備品４を除くおもちゃ１の重心位置がほぼ中心にあるため、装備品４の違いによって重心の位置などに変化を与え易い。即ち、装備品４を重量や形状が異なる他の装備品と取り替えることにより、装備品４に起因して重心位置がずれるので、同じ姿勢でも、おもちゃの歩行速度や移動方向が変化する。例えば、重心位置調整部材の装備品４として盾や矛のような武器を使用する場合には、重い武器を前方に掲げる場合には、おもちゃが前傾姿勢となり歩行速度が速いものとなるが、その反面転び易くなるというリスクを伴う。他方、軽い装備品４即ち武器を前方に掲げる場合には、歩行速度は遅くなるが、その反面安定して進むことができるというメリットを伴う。このため、装備品４の選択によりその姿勢や走行速度、転び易さなどの違いがでてくるので、複数体の歩行おもちゃの間での競争が成立する。即ち、競走といった遊び方ができる。特に、図７や図１１（Ａ），（Ｃ）に示すように、複数のレール５１を備える軌道盤５０と組み合わせて遊ぶことにより、同じ走行条件での他の歩行おもちゃとの歩行速さを競争させることができる。即ち、選択する装備・装備品４の違い、例えば重さや形状の異なる装備品との組み合わせの違いで、動き・走りや安定性の違いが生ずることから、ゲーム性が高まる。
【００５０】
また、レール５１を跨ぐようにおもちゃ１の左右の足部材７を配置すれば、レール５１に沿っておもちゃ１を走らせたり、歩かせることができることから、レール５１に沿ってトレースさせるといった遊び方や、競走を行わせることもできる。例えば、可撓性のある１本のレールを好きに曲げてから床面に配置し、それに沿っておもちゃを走らせたり、歩かせる遊び方もできる（図１１（Ｄ）参照）。また、直線の１本のレール５１を備える盤５０の上に、２体のおもちゃを対面するようにセットしてから互いに前進させることで、おもちゃ同士を衝突させてどちらのおもちゃが先に転倒するかなどを争う遊び方もできる（図１１（Ｂ）参照）。さらには、互いにルートが異なる蛇行した複数本のレールを備える軌道盤５０において、複数体のおもちゃ１の抜きつ抜かれつの走りを競わせても良い（図１１（Ｃ）参照）。
【００５１】
また、装備品４や足部材７あるいは腕３などを交換可能とする場合（図１０参照）、例えばおもちゃに設定されているキャラクターの武器のアップグレードを可能とすることで、キャラクターの成長や変貌などのストーリ性を与えることができる。この場合、おもちゃのキャラクターに合わせた付属品を用意して使うおもしろ味が増す。しかも、おもちゃ１に持たせる武器やその他の付属品などの装備品４を取り替えることで、おもちゃ１の動きの質に変化を与えることができる。
【００５２】
なお、上述の形態は本発明の好適な形態の一例ではあるがこれに限定されるものではなく本発明の要旨を逸脱しない範囲において種々変形実施可能である。例えば、上述の実施形態では、脚部材６と足部材７とを分離可能な構造とし、足部材７を交換可能としているが、これに特に限られるものではなく、脚部材６と足部材７とを予め連結しあるいは一体成形したものとし、脚部材６ともども足部材７を交換可能としても良い。
【００５３】
また、足部材７は脚部材６を延長する部分を備えた長靴のようなものとし、脚部材６と連結したときに、実質的な脚の長さを長くし、おもちゃのキャラクターの容貌・外観を幼児体型から少年・少女体型あるいはさらに成人体型に成長させることができる。同様に、腕３も図示形態のようなものばかりではなく、さらに短い腕としたり、逆にさらに長い腕としても良い。また、場合によっては、腕３の先端にローラを備え、腕３の先端が床面に当てられるようにして前方への転倒を未然に防ぐようにしても良い。さらに、ボディの背後側に、ローラを備え、屈曲することにより後方へ延び出てボディの後方への転倒を防ぐ固定脚が備えられられるようにしても良い。また、場合によっては、様々な形態の装備品を腕３の先端の把持部５に嵌め込むようにしても良い。
【００５４】
また、重心位置調整部材全体をボディ２に、あるいは重心位置調整部材の一部である装備品４を腕３に対し着脱自在とする場合、おもちゃのキャラクターに合わせた付属品を用意して使えば、おもちゃとしての面白みが増す。さらには、腕３の先端の把持部５に床面に立つ人形のような重しを用意し、これを把持部５に連結させれば、人形を中心におもちゃが回り、ダンスのような動きを再現することも可能である。
【００５５】
更に、本実施例の場合、重心位置調整部材としての腕３および装備品４は、ボディ２の両側にそれぞれ設けているが、場合によっては片側の腕３だけに装備品４を取り付けても良いし、場合によってはボディ２の片側だけに腕３と装備品４とを設けるようにしても良い。ボディの片側だけに重心位置調整部材を設ける場合には、反対側に釣り合いをとるためのバランサーを設けたり、他の部品で調整することによって、ボディ２の左右方向の一方に重心が常時著しく偏ることを防ぐことが好ましい。また、場合によっては、重心位置調整部材としては、腕３とは異なるもの、例えば尻尾や楽器などの装備品をボディ２の前あるいは後ろに備えるようにしても良い。
【符号の説明】
【００５６】
１  歩行おもちゃ
２  ボディ
３  重心位置調整部材を構成する腕
４  重心位置調整部材を構成する装備品
５  手に装備品を着脱自在に取り付けるための把持部（ハンド部）
６  脚部材
７  足部材
８  ギアボックス
２２  レバー
２３  ギア列を構成する駆動ギア（１番ギア）
２４  捻りコイルばねを収容するレバー２２の内部空間
２５  捻りコイルばね
２７  ギア列を構成する２番ギア
２８  ギア列を構成する３番ギア
３０，３１  円弧状の長孔
３２  ギア列を構成する４番ギア
３４  ギア列を構成する５番ギア
３５  出力軸
３６  フレーム
３７  レバーを回すための開口部
５０  軌道盤
５１  レール
５２  床面
【図１】
2015163190.tif 000003
【図２】
2015163190.tif 000004
【図３】
2015163190.tif 000005
【図４】
2015163190.tif 000006
【図５】
2015163190.tif 000007
【図６】
2015163190.tif 000008
【図７】
2015163190.tif 000009
【図８】
2015163190.tif 000010
【図９】
2015163190.tif 000011
【図１０】
2015163190.tif 000012
【図１１】
2015163190.tif 000013
【図１２】
2015163190.tif 000014
【図１３】
2015163190.tif 000015
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
重心位置調整部材と一対の脚をボディに前後方向に揺動自在に支持すると共に該一対の脚を交互に前後へ強制揺動させるクランク機構を有するギアボックスを前記ボディに内蔵し、かつ前記一対の脚の床面と接する面が前記強制揺動方向に湾曲した曲面に形成されて前記床面と前記一対の脚とが常時接触して前記一対の脚で走行可能な歩行おもちゃにおいて、
前記ギアボックスは、捻りコイルばねを駆動源とし該捻りコイルばねによって駆動される駆動ギアと前記クランク機構を回転させる出力軸並びに駆動ギアの回転を前記出力軸に伝達させるギア列とを含み、且つ、前記駆動ギアを回転させると共に前記ボディの外に先端部分が突出し上下方向に揺動するレバーを備え、
前記レバーはその回転中心に円盤部を有し、前記駆動ギアが前記円盤部の周面の一部に形成され、前記捻りコイルばねを収納する空間が前記レバー及び前記駆動ギアの内方に設けられ、前記捻りコイルばねの一端が前記レバーの先端側に延びる内部空間に収められると共に、前記捻りコイルばねの他端が前記内部空間の外において前記ギアボックスの前記フレームに当てられ、前記回転中心と直交する垂直面に沿って捩られるように前記捻りコイルばねが配置される一方、
前記レバーが前記ギアボックスの左右方向の中央に上下方向に揺動可能に備えられ、前記ギアボックスが前記ボディの左右方向の中央に配置されるように前記ボディ内にセットされ、
前記レバーを押し下げることで前記捻りコイルばねを捻って巻き上げることを特徴とする歩行おもちゃ。
【請求項２】
前記重心位置調整部材が前記ボディの両側に左右対称に配置されることを特徴とする請求項１記載の歩行おもちゃ。
【請求項３】
前記重心位置調整部材は、前記ボディに対し可動的に連結される腕とその先端に取り付けられる装備品とから構成され、前記腕の先端に前記装備品を着脱可能に把持させる把持部を備える請求項１または２に記載の歩行おもちゃ。
【請求項４】
前記ギア列を構成するギアの１つを前記駆動ギア寄りの噛合相手のギアの周りを公転する駆け上がりギアとし、前記レバーを操作して前記捻りコイルばねを巻き上げるときに、前記駆け上がりギアを公転させて該駆け上がりギアの前記出力軸寄りの噛合相手のギアとの噛み合いを解除し、前記ギア列の回転が前記出力軸に伝達されないようにしたことを特徴とする請求項１から３のいずれか１つに記載の歩行おもちゃ。
【請求項５】
前記脚は、前記床面と接する面が前記脚の揺動中心を通る鉛直軸上に曲率中心を有する曲面であり、前記脚の揺動中心を通る鉛直軸上の位置で前記床面と接し、前記ボディが直立することを特徴とする請求項１から４のいずれか１つに記載の記載の歩行おもちゃ。
【請求項６】
前記脚は、前記床面と接する面が前記脚部材の揺動中心を通る鉛直軸よりも進行方向前方に曲率中心を有する曲面であり、おもちゃを直立させたときに前記鉛直軸よりも前の位置で足裏の面と床面とが接し、それよりも後方では床面に対して漸次足裏が離れて床面から浮き上がる曲面の足裏を有し、前記ボディが傾斜することを特徴とする請求項１から４のいずれか１つに記載の歩行おもちゃ。
【請求項７】
前記脚は、前記ギアボックスによって前後方向に揺動される脚部材と、該脚部材の下端に着脱可能に取り付けられ前記床面と接する面を有する足部材とから成り、前記足部材を交換可能としたことを特徴とする請求項１から６のいずれか１つに記載の歩行おもちゃ。
【請求項８】
請求項１から７のいずれか１つに記載の歩行おもちゃと、走行面から突出した軌道を有する軌道盤とを有し、前記軌道盤の前記軌道を跨ぐように前記歩行おもちゃの前記脚の間に前記軌道を配置して、前記軌道に沿って前記おもちゃを走行させることを特徴とする歩行おもちゃセット。
【請求項９】
前記軌道盤の前記軌道を複数本備え、各軌道を跨ぐように前記請求項１から７のいずれか１つに記載の複数の歩行おもちゃを配置し、前記複数の歩行おもちゃを同時に走行開始させて前記軌道に沿って前記おもちゃを競って走行させることを特徴とする歩行おもちゃセット。
【手続補正２】
【補正対象書類名】明細書
【補正対象項目名】００１１
【補正方法】変更
【補正の内容】
【００１１】
かかる目的を達成するために請求項１記載の発明は、重心位置調整部材と一対の脚をボディに前後方向に揺動自在に支持すると共に該一対の脚を交互に前後へ強制揺動させるクランク機構を有するギアボックスをボディに内蔵し、かつ一対の脚の床面と接する面が強制揺動方向に湾曲した曲面に形成されて床面と一対の脚とが常時接触して一対の脚で走行可能な歩行おもちゃにおいて、ギアボックスは、捻りコイルばねを駆動源とし該捻りコイルばねによって駆動される駆動ギアとクランク機構を回転させる出力軸並びに駆動ギアの回転を出力軸に伝達させるギア列とを含み、且つ、駆動ギアを回転させると共にボディの外に先端部分が突出し上下方向に揺動するレバーを備え、レバーはその回転中心に円盤部を有し、駆動ギアが円盤部の周面の一部に形成され、捻りコイルばねを収納する空間がレバー及び駆動ギアの内方に設けられ、捻りコイルばねの一端がレバーの先端側に延びる内部空間に収められると共に、捻りコイルばねの他端が内部空間の外においてギアボックスのフレームに当てられ、回転中心と直交する垂直面に沿って捩られるように捻りコイルばねが配置される一方、レバーがギアボックスの左右方向の中央に上下方向に揺動可能に備えられ、ギアボックスがボディの左右方向の中央に配置されるようにボディ内にセットされ、レバーを押し下げることで捻りコイルばねを捻って巻き上げるようにしている。
【手続補正３】
【補正対象書類名】明細書
【補正対象項目名】００１２
【補正方法】変更
【補正の内容】
【００１２】
また、本発明にかかる歩行おもちゃは、重心位置調整部材がボディの両側に左右対称に配置されることが好ましい。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】変更
【補正の内容】
【００１４】
また、本発明にかかる歩行おもちゃは、重心位置調整部材が、ボディに対し可動的に連結される腕とその先端に取り付けられる装備品とから構成され、腕の先端に装備品を着脱可能に把持させる把持部を備えるものであることが好ましい。
【手続補正６】
【補正対象書類名】明細書
【補正対象項目名】００１５
【補正方法】変更
【補正の内容】
【００１５】
また、本発明にかかる歩行おもちゃは、ギア列を構成するギアの１つを駆動ギア寄りの噛合相手のギアの周りを公転する駆け上がりギアとし、レバーを操作して捻りコイルばねを巻き上げるときに、駆け上がりギアを公転させて該駆け上がりギアの出力軸寄りの噛合相手のギアとの噛み合いを解除し、ギア列の回転が出力軸に伝達されないようにすることが好ましい。
【手続補正７】
【補正対象書類名】明細書
【補正対象項目名】００１６
【補正方法】変更
【補正の内容】
【００１６】
また、本発明にかかる歩行おもちゃは、脚が、ギアボックスによって前後方向に揺動される脚部材と、該脚部材の下端に着脱可能に取り付けられる足部材とから成り、足部材を交換可能とすることが好ましい。
【手続補正８】
【補正対象書類名】明細書
【補正対象項目名】００１７
【補正方法】変更
【補正の内容】
【００１７】
また、本発明にかかる歩行おもちゃは、脚が床面と接する面が脚の揺動中心を通る鉛直軸上に曲率中心を有する曲面であり、脚の揺動中心を通る鉛直軸上の位置で床面と接し、ボディが直立するものであることが好ましい。また本発明にかかる歩行おもちゃは、脚が、床面と接する面が脚部材の揺動中心を通る鉛直軸よりも進行方向前方に曲率中心を有する曲面であり、おもちゃを直立させたときに鉛直軸よりも前の位置で足裏の面と床面とが接し、それよりも後方では床面に対して漸次足裏が離れて床面から浮き上がる曲面の足裏を有し、ボディが傾斜するものであることが好ましい。
【手続補正９】
【補正対象書類名】明細書
【補正対象項目名】００２０
【補正方法】変更
【補正の内容】
【００２０】
請求項１記載の歩行おもちゃによれば、捻りコイルばねを駆動源とするギアボックスを備え、レバーがギアボックスの左右方向の中央に上下方向に揺動可能に備えられ、ギアボックスがボディの左右方向の中央に配置されるようにボディ内にセットされ、ギアボックスの駆動ギアを回転させるレバーの先端部分をボディの外に突出させ、駆動ギアと一体となったレバーの内方に収納された捻りコイルばねをレバーを回すことで捻って巻き上げる構成にしているので、歩行おもちゃの左右方向の重心の偏りを少なくして、歩行時のバランスを安定させて転倒し難くできる。しかも、歩行おもちゃの左右方向の中心からの重心位置の偏りが少ないので、重心位置調整部材による重心移動の影響が大きくなり、おもちゃの動きに大きな変化を与え得る。依って、重心位置調整部材が比較的軽量であっても、おもちゃの動きに様々な変化を与えうるので、おもちゃ全体をコンパクトにしても変化に富む動きを与えることができる。
【手続補正１０】
【補正対象書類名】明細書
【補正対象項目名】００２３
【補正方法】変更
【補正の内容】
【００２３】
また、本発明にかかる歩行おもちゃによれば、捻りコイルばねを駆動源とするギアボックスの巻き上げ操作手段としてのレバーをギアボックスの左右方向の中心に上下方向に揺動可能に配置すると共にギアボックスをボディの左右方向の中心に配置しているので、歩行おもちゃの左右方向における重心の位置がさらに中心に置かれ、歩行時のおもちゃの転倒を誘発する要因の一つである、左右方向の重心位置の偏りを少なくして、歩行時のバランスを安定させて転倒し難くできる。しかも、歩行おもちゃの左右方向の重心位置がさらに中心に配置されるので、重心位置調整部材による重心移動の影響が大きくなり、おもちゃの動きに大きな変化を与え得る。依って、重心位置調整部材が比較的軽量であっても、おもちゃの動きに様々な変化を与えうるので、おもちゃ全体をコンパクトにしても変化に富む動きを与えることができる。
【手続補正１１】
【補正対象書類名】明細書
【補正対象項目名】００２４
【補正方法】変更
【補正の内容】
【００２４】
さらに、本発明にかかる歩行おもちゃによれば、レバーと駆動ギアとが一体成形されると共にその内方に捻りコイルばねが収納されるので、レバー，駆動ギア及び捻りコイルばねがほぼ同一平面上に配置されてギアボックスの薄形化が可能である。
【手続補正１２】
【補正対象書類名】明細書
【補正対象項目名】００２５
【補正方法】変更
【補正の内容】
【００２５】
また、重心位置調整部材がボディの両側に左右対称に配置されているので、弥次郎兵衛のようにおもちゃの左右方向の釣合いがとれて歩行時に倒れ難くなる。また、装備品を含めない状態においては、両腕やボディなどを含めたおもちゃ全体の重心位置は、おもちゃの左右方向においてはその中心にあるので、重心位置調整部材による重心位置の変更に与える影響が大きくなり、両腕の位置を互いにずらすことによって、あるいは装備品の有無やその大きさなどを変更することによって、重心の位置のずれを微妙にあるいは大胆に調整でき、動きの変化を細かにあるいは大胆に調整することができる。
さらに、請求項３記載の発明にかかる歩行おもちゃによれば、ボディに対し可動的に連結された腕とその先端に取り付けられる装備品とで重心位置調整部材が構成され、装備品を着脱可能に把持部で把持させるようにしているので、様々な装備品を取り付けることができる。ここで、装備品は、重心を調整するためのものであると共に、おもちゃのキャラクターにストーリー性を与えるための小道具としての役目も果たす。したがって、おもちゃに具現されたキャラクターの成長や機能のアップグレードなどを暗示ないし示唆する装備品を取り付けることにより、ストーリー性を与えることができる。しかも、装備品の取り替えにより、キャラクターの成長や機能のアップグレードに伴った動きの質に変化を与えることができる。例えば、重い装備品の場合には、おもちゃが前傾姿勢となり歩行速度が速いものとなるがその反面転び易くなり、他方、軽い装備品の場合には、歩行速度は遅くなるが安定走行となる。このため、装備品の選択によっておもちゃの歩行や走りの質を代えることができる。
【手続補正１３】
【補正対象書類名】明細書
【補正対象項目名】００２６
【補正方法】変更
【補正の内容】
【００２６】
また、請求項４記載の発明にかかる歩行おもちゃによれば、レバーを押し下げて捻りコイルばねを巻き上げる際に、ギアボックスのギア列を構成するギアの１つがギア列から離脱し、ギア列の回転が出力軸に伝達されないようにしているので、脚がばたつくことが無く、おもちゃを床面に置いたまま片手でレバーを押し下げる操作ができる。つまり、おもちゃを床面に置いたまま、レバーを押し下げるだけの操作は、幼児にとっても可能な単純な動きであるから、幼児にも遊べるおもちゃとなる。また、おもちゃを一旦手にもって、ばねを巻いてから床面に降ろすという作業が不要となるので、おもちゃから手を離す際に、おもちゃの姿勢のバランスを崩すことがない。しかも、もともと重心が左右方向の中心にあり重心の偏りが少ないことから、歩行時のおもちゃの姿勢のバランスを崩し難く、歩行開始直後に転倒するということが少なく、遊び易いおもちゃを実現できる。
【手続補正１４】
【補正対象書類名】明細書
【補正対象項目名】００２７
【補正方法】変更
【補正の内容】
【００２７】
また、請求項５記載の発明にかかる歩行おもちゃによれば、足部材の床面と接する面の曲率中心を通る鉛直軸よりも重心の位置がずれたときに、そのずれた方向へ容易に移動する。換言すれば、装備品の有無、大きさや形状の異なる装備品との交換、さらには腕を回して装備品の位置を変えることによって、おもちゃの歩行方向を自由に設定することができる。また、請求項６記載の歩行おもちゃによれば、脚の床面と接する位置と重心位置との関係で必然的におもちゃが後傾姿勢あるいは前傾姿勢をとった状態で、脚がボディの傾斜方向と反対方向に向けて持ち上げられるように強制揺動されるので、譬え重心位置調整部材として機能する腕や装備品を備えていても、これら腕や装備品の位置に関係なく、おもちゃは後傾姿勢あるいは前傾姿勢のまま傾斜方向とは逆方向に進行する。例えば、後傾姿勢の場合には腕を後方に向けて突き出させても、前へ向けて進む。また、前傾姿勢の場合には腕を前方に向けて突き出させても、後ろへ向けて進む。この結果、ボディが後傾しながらも前方へ歩く、あるいは前傾しながらも後方へ歩くという、今までの歩行おもちゃにはない面白い動きが得られる。
【手続補正１５】
【補正対象書類名】明細書
【補正対象項目名】００２８
【補正方法】変更
【補正の内容】
【００２８】
また、請求項７記載の発明にかかる歩行おもちゃによれば、足部材を取り替えることができるので、簡単におもちゃの動きに変化を与えることができる。例えば、足部材を取り替えることで、足裏の曲面形状を変えることにより、その場で足踏みするおもちゃ、前にだけ進むおもちゃ、後ろだけに進むおもちゃ、速いおもちゃ、遅いおもちゃなど、おもちゃ本体を変えずに動きの特性を変更することができる。